(57)【要約】
【課題】  ブロック塀が土水汚れで美観を損なうことなく草花による美化ができ、また多くの草花を植えることが可能なブロック塀を提供する。
【解決手段】  塀用コンクリートブロック本体３の前面に突出させた鉢受部４を、その底面４ａが前下がり状態になるように一体形成した鉢受ブロック１と、前記鉢受部４内に全体が落とし込め、その側面６が鉢受部４の内壁側面５内に納まるように形成したポット２とから構成された植栽ブロックである。
【選択図】      図１
0003101057.tif 000002
【実用新案登録請求の範囲】
【請求項１】
塀用コンクリートブロックにおいて、底面が前下がり状態となる鉢受空間を備えた鉢受部を突出させ、該底面先端に排水孔を設けた鉢受ブロックを形成し、
該鉢受ブロックの排水孔部に臨む位置に排水口を配設し、全体が鉢受部内に落とし込んで収納できるポットを備えたことを特徴とする植栽ブロック。
【請求項２】
塀用コンクリートブロックにおいて横列に並んだ２個以上のブロックを対象とし、
対向側に向けて開放された鉢受空間を備えた鉢受部を突出させて形成した鉢受ブロックを一方に配し、これを受ける鉢受空間を備えた鉢受部を備えた鉢受ブロックを他方に配し、
両ブロック間に形成される鉢受空間に全体が落とし込んで収納でき、一部に排水口を配したポットを備えたことを特徴とする植栽ブロック。
【考案の詳細な説明】
【技術分野】
【０００１】
本考案は、草花を塀の表面に直接植栽できるようにしたコンクリート製のブロック塀に関する。
【背景技術】
【０００２】
草花を塀に飾る場合、植木ポットをフックなどロック塀へ引っ掛けられるようにした形態が多いが、それらは簡単に取り外しできる利点があるが斜めになったり不安定になったり飾り方に軽薄感を与える欠点がある為、前面に鉢受を一体的に形成したブロックを用いて塀に一体的に組み込めるようにした重厚感のある植栽用のブロック塀が提案されている。
【０００３】
しかし水や雨水でポット内の土が鉢受から流れ出して、塀に汚れの筋ができてしまい、折角の草花による壁面美化が損なわれてしまう難点があり、そこで、例えば、特許文献１に示されるブロック塀では、前面にポットが嵌め込める鉢受を一体的に形成したブロックの下に排水用のブロックを繋げて、鉢受の両側の設けた給排水穴が、その下の別のブロックに設けた排水用の縦孔に接続され、そこからポット内の余剰水が落とされるようになっている。
【特許文献１】実開平７−５３３８号公報
【考案の開示】
【考案が解決しようとする課題】
【０００４】
しかし、該ブロック塀では、塀にこの排水用ブロックが並ぶと、壁面全体が猥雑で重苦しく感じられ、工事の際も縦にその孔を合わせて施工しなければならない難点があった。
また、従来の鉢受一体型ブロック塀は、一個ブロックの単位の大きさに限度があり、草花を大きく飾りたくても、一個の単位ブロックでは小さい鉢受が載るだけで、大きなポットを載せてたくさんの草花の盛付けができない難点があった。
【０００５】
そこで、本考案は上記難点に鑑みてなされたもので、ブロック塀の美観を損なわずに草花による美化ができ、大きな草花でも植えることが可能となる大型ポットを載せることが可能なブロック塀を提供するものである。
【課題を解決するための手段】
【０００６】
上記課題を解決するために、本考案植栽ブロックは、塀用コンクリートブロック本体の前面に、底面が前下がり状態となる鉢受空間を備えた鉢受部を突出させ、該底面先端に排水孔を設けた鉢受ブロックを形成し、該鉢受ブロックの排水孔部に臨む位置に排水口を配設し、全体が鉢受部内に落とし込んで収納できるポットを備えたことを特徴とする。
又、請求求項２記載の植栽ブロックは、塀用コンクリートブロックにおいて横列に並んだ２個以上のブロックを対象とし、対向側に向けて開放された鉢受空間を備えた鉢受部を突出させて形成した鉢受ブロックを一方に配し、これを受ける鉢受空間を備えた鉢受部を備えた鉢受ブロックを他方に配し、両ブロック間に形成される鉢受空間に、全体が落とし込んで収納でき、一部に排水口を配したポットを備えたことを特徴とする。
【考案の効果】
【０００７】
本考案は以上の構成なので、塀用コンクリートブロック本体の前面に突出させた鉢受部の突出部底面を前下がり状態になっているので、鉢受部からこぼれた水が壁面ではなく鉢受部の突出部の底面に集まって落ちる。
このため、ブロック塀の壁面には土で汚れた水の筋はできず、塀の美観を損なわない。
また、横列に並んだ２個以上のブロックに対向側に向けて開放された２つの鉢受空間を備えた鉢受部を配した植栽ブロックでは、塀用コンクリートブロックの横列の幅を自由に植栽培ブロックとすることができるので、塀の長さに合わせて大きな品種の草花やたくさんの草花で多彩に塀を彩ることが可能となった。
【考案を実施するための最良の形態】
【０００８】
以下本考案の実施の形態を詳しく説明する。
本考案は、図１に示すように、鉢受ブロック１が塀用コンクリートブロック本体３部分と、その前面に突出状態で一体形成された鉢受部４とから成り、その鉢受ブロック１の鉢受部４のサイズに合う植栽用のポット２が、図２示すように、全体が納められるようにすとともに前記鉢受部４は塀用コンクリートブロック本体３の前面に、図３示すように、その底面４ａが角度αだけ前下がり状態になるようにする。
【０００９】
そして、図１の（イ）に示すように、ポット２は前記鉢受部３内に全体を落とし込めるように、ポット２の側面６が鉢受部４の内壁側面５に密接状態で納まるようにプラスチックで形成し、図１及び図２示すように、前記プラスチック製ポット２の上縁１０に取っ手取付部１２を設けて、その取っ手取付部１２に吊り下げ用の取っ手１１を装着する。
【００１０】
また、前記鉢受ブロック１の突出部の底面４ａに排水孔７を開口させるとともに、ポット２には排水口８を設け、その排水口８には底部に前鉢受ブロック１の排水孔７に挿入できるように排水管８ａを突出形成し、そのポット２内の水が排水口８を被う防虫網１３を介して、その排水管８ａから排出されるようにしても良い。
【００１１】
さらに、横列に並んだ２個以上のブロックを対象とし、対向側に向けて開放された鉢受空間を備えた鉢受部を突出させて形成した鉢受ブロックを一方に配し、これを受ける鉢受空間を備えた鉢受部を備えた鉢受ブロックを他方に配し、両ブロック間に形成される鉢受空間に全体が落とし込んで収納でき、一部に排水口を配したポットを備えたことを特徴とする植栽ブロックができる。
【００１２】
上記２個以上のブロックを対象とする鉢受ブロックのうち、まず隣合わせに２個横列に並べた実施形態を説明する。
この場合は、図６に示すように、一方には対向側に向けて開放された鉢受空間を備えた鉢受部４を突出させた鉢受ブロックＡを配し、他方には一方の鉢受空間に向けて開放された鉢受部４を突出させた鉢受ブロックＢを配し、両鉢受部４同士が接合されて前面と底面に隙間のない一体的な鉢受空間が形成できるようにする。
そして、その鉢受空間に、鉢受部４の底面の一部に排水口を配した横長のプラスチック製ポット２の全体が両鉢受ブロックの内壁側面５に密接状態に落とし込まれて収納できようにする。
【００１３】
そして、前記鉢受部４の突出部の底面４ａには排水孔７を設けて、前記ポット２の排水口8とその排水孔７の位置が合致するようにする。
前記ポット２の排水口８に排水管8ａを用いた場合には、鉢受空間にポット２を収納する時に前記鉢受部４に設けた排水孔７に排水管が差し込まれるようにする。
この形態では、その排水孔７は、図６及び図７に示すように、両鉢受ブロックＡ、Ｂの鉢受部４の接合面９の両側に２分割でき、こうすれば鉢受部４の底面４ａに排水孔７をブロック成型後に孔開けする必要がなくなるので鉢受ブロックの製造が容易となる。
そしてこの形態では、２個以上のブロックにまたがって鉢受空間が形成されるので１個のブロックによるものよりも約２倍程大きなポット２を収納することが可能となる。
【００１４】
次に横列に並べて対向させた鉢受部４の間に空間を設けて前面と底面を分離させた実施形態について説明する。
この形態の場合、その鉢受空間に収められる横長のポット２を、図４及び図５に示すように、ポット２の中間の前面と底面は露出され、両鉢受部４の内壁側面５に両側が密接状態に収納できるように形成される。
【００１５】
その図４及び図５には上記鉢受ブロックＡ、Ｂが隣り合う状態に配された場合を示しているが、両者の間に鉢受部４のない平面のブロックを１個乃至数個を挟んでブロック塀を組み立てる場合は、横長のポット２は間に挟まれるブロック間隔に合わせて両鉢受部４の内壁側面５に密接状態に収納できるように作った横長のポット２を用いる。
この形態では、間に挟まれるブロックの数により、１個のブロックによるものよりもさらに数倍程の大容量のポット２が使用できるようになる。
【００１６】
使用に当たっては、排水口を防虫網１４で塞いだポット２に培土１５を入れて植物１６を植えたポット２を、取っ手１１を持って吊り下げ、鉢受部４内の鉢受空間にそのまま落とし込めば良い。
水遣りは多めにしても余計な水は壁に向わずにポット２の排水管8ａから前に垂れるように排出される。
なお、ポット２の底部に突起１３があれば、ポット底部に空間ができるので、鉢受部４内に溜まる水のはけが良くなる。
そしてポット２は取っ手１１を持って簡単に引き上げて降ろすことができ、季節の変わりに行う植物１６の植え替えが容易となり、常に四季折々の草花で美化されたブロック塀を楽しく観賞することができるようになった。
【産業上の利用可能性】
【００１７】
本考案は、コンクリート製ブロック塀に利用するものであるが、石製のブロック塀にも利用が可能である。
【図面の簡単な説明】
【００１８】
【図１】（イ）がポットを、（ロ）が鉢受ブロックを示す斜視図である。
【図２】図１のポットを鉢受ブロックに入れた状態を示す斜視図である。
【図３】鉢受ブロックの一部切欠状態を示す縦断斜視図である。
【図４】２個横列に並べる鉢受ブロックの形態の（イ）がポットを、（ロ）が鉢受ブロックを示す斜視図である。
【図５】図４のポットを鉢受ブロックに入れた状態を示す斜視図である。
【図６】別の２個横列に並べる鉢受ブロックの形態の（イ）がポットを、（ロ）が鉢受ブロックを示す斜視図である。
【図７】図６の鉢受ブロックの一方部分を示す斜視図である。
【図８】図１の鉢受ブロックでブロック塀を立ち上げ、ポットに植物を植えた状態を示す斜視図である。
【符号の説明】
【００１９】
１    鉢受ブロック
２    ポット
３    塀用コンクリートブロック本体
４    鉢受部
４ａ  鉢受部の底面
５    鉢受部の内壁側面
６    ポットの側面
７    排水孔
８    排水口
８ａ  排水管
９    鉢受ブロックの接合面
１０    ポットの上縁
１１    取っ手
１２    取っ手取付部
１３    突起
１４    防虫網
１５    培土
１６    植物
１７    塀ブロック
Ａ    一方の鉢受ブロック
Ｂ    他方の鉢受ブロック
【図１】
0003101057.tif 000003
【図２】
0003101057.tif 000004
【図３】
0003101057.tif 000005
【図４】
0003101057.tif 000006
【図５】
0003101057.tif 000007
【図６】
0003101057.tif 000008
【図７】
0003101057.tif 000009
【図８】
0003101057.tif 000010